(57)【要約】      （修正有）【課題】屋外でも屋内でも使用できる移動設置自在なピッチャー用マウンドを提供する。【解決手段】本体Ｃを立位置部１２と傾斜部１４とに分離自在とし、且つ分離された該体を再度一体と成す接続固定手段１７を備え、本体Ｃを形成する立位置部１２には立位置部カバー体２を、傾斜部１４には傾斜部カバー体４を其々の上面に設けるとともに、前記立位置部カバー体にはプレート取付け部７を有するとともに、本体Ｃを形成する立位置部１２と傾斜部１４との底面５に、滑り止め部材１５を着脱自在に設けて課題を解決する手段としている。【選択図】図２
0003131974.tif 000002
【実用新案登録請求の範囲】
【請求項１】
本体Ｃを立位置部１２と傾斜部１４とに分離自在とし、且つ分離された該体を再び一体と成す接続固定手段１７を備えたピッチャー用マウンド。
【請求項２】
立位置部１２には立位置部カバー体２を、傾斜部１４には傾斜部カバー体４を其々の上面に設けるとともに、立位置部カバー体２にはプレート取付け部７を有することを特徴とする請求項１記載のピッチャー用マウンド。
【請求項３】
本体Ｃを形成する立位置部１２と傾斜部１４との底面に、滑り止め部材１５を着脱自在に設けたことを特徴とする請求項１または請求項２記載のピッチャー用マウンド。
【考案の詳細な説明】
【技術分野】
【０００１】  本考案は、野球のピッチャー用マウンドに係り、特に、冬季間は積雪のためグランドで練習できない地方でもピッピングの練習ができるように、屋内で使用可能であり、更には、無雪期はグランドでも使用できるピッチャー用マウンドに関するものである。
【背景技術】
【０００２】  野球競技において、ピッチャーの出来不出来が勝敗を大きく左右することは良く知られている。したがって、オフシーズンにおけるピッチングトレーニングの重要性が認識され、各チームがその対策に力を注いでいる。
特に、冬季の少なくとも４〜５ヶ月間、積雪のためグランドで練習できない地方では最も重要な課題の一つとなっている。
一方、ピッチャー用マウンドを作るとすれば、良質な砂集めから始めなければならず、折角苦労して作っても、常時使用するために平均１〜２シーズンで壊れてしまうため、ピッチャー用マウンド作りとその維持管理には、積雪を見ない地方を含め、との地のチームも頭を悩ましている。つまり、マウンドつくりとその維持管理には多くの労力を必要とし、いかに大変な事かを野球に携わる者は身を持って体験させられている背景がある。
【考案の開示】
【考案が解決しようとする課題】
【０００３】  上記ように、ピッチャーに最適な練習環境を用意することは、チームの成績を左右する大変重要な要素となっていることは承知していながらも、冬季間それを屋外に求めることは無理な事であり、かといって、屋根付き練習場をおいそれと作れるものでもない。
一方、無積雪地の屋外にあってもピッチャー用マウンドをつくり、それを維持管理することはなかなか大変な労力を要している。
そこで本考案は、屋外でも屋内でも使用できるように、移動設置自在なピッチャー用マウンドを提供しようとするものである。
【課題を解決するための手段】
【０００４】  本考案のピッチャー用マウンド１はカバー体Ｂと本体Ｃとから形成され、本体Ｃを立位置部１２と傾斜部１４とに分離自在とし、且つ分離された該体を再び一体と成す接続固定手段１７を備え、立位置部１２には立位置部カバー体２を、傾斜部１４には傾斜部カバー体４を其々の上面に設けるとともに、立位置部にはプレート取付け部７を有し、立位部と傾斜部との底面に、滑り止め部材１５を着脱自在に設けて課題を解決する手段としている。
【考案の効果】
【０００５】  本考案は、上記のような手段で課題を解決しようとするものなので、次のような効果を奏するものである。
（１）本体を立位置部と傾斜部とに分離自在とし、且つ分離された本体を再び一体に接続固定する手段を備えているので、必要に応し目的地に運んで組み立てて使用することができるので、利便性が高い。
（２）本体を形成する立位置部と傾斜部の上面には、それぞれ別体のカバー体を設けているので、使用による磨耗が生じた時は、必要に応じて、本体からこのカバー体のみを取り外して新たなカバー体と取り替える事ができるので、ピッチャーにとってベストなマウンドの状態を復元保持可能である。
（３）本体を形成する立位置部と傾斜部の底面には滑り止め部材を着脱自在に設けているので、屋内での使用時もフローリングを傷めることなく使用できる。
（４）立位置部の上面に設けられる立位置カバー体には、プレート取付け部を備えているので、特に消耗が激しいプレートの交換が、カバー体の交換とは別体で行うことができる。
【考案を実施するための最良の形態】
【０００６】  本考案のピッチャー用マウンド１はカバー体Ｂと本体Ｃとから形成し、本体Ｃを立位置部１２と傾斜部１４とに分離自在とし、且つ分離された該体を再度一体と成す接続固定手段１７を備え、立位置部１２には立位置部カバー体２を、傾斜部１４には傾斜部カバー体４を其々の上面に設けるとともに、立位置部にはプレート取付け部７を有し、立位置部と傾斜部との底面に、滑り止め部材１５を着脱自在に設けたもので、本体Ｃを形成する立位置部と傾斜部は、強固で耐久性を得るため、ラワン合板で作られる事が望ましいが、枠体内部に例えばウレタン発泡樹脂などを充填して軽量化を図ることも実施例とし、また、該立位置部と傾斜部の上面に設けられるカバー体はゴムチップマットやウレタン樹脂で作り、オールウエザータイプのカバー体としている。【０００７】  本体Ｃは立位置部と傾斜部の二体で形成され、これらの二体は分離自在とし、且つ分離された該体を再び一体と成す接続固定手段１７を備えている。
【実施例】
【０００８】  本考案の実施例を図面に基づき説明する。図１は，本考案のピッチャー用マウンド１の本体Ｃを構成する立位置部と傾斜部の表面に設けられるカバー体Ｂを説明するもので、立位置部１２には立位置部カバー体２が、傾斜部１４には傾斜部カバー体４がそれぞれの上面に設けられる。
前記各カバー体はそれぞれの部材に合致する大きさを有していて、例えばゴムチップマットやウレタン樹脂で作られた、オールウエザータイプのカバー体であり、適宜な弾力を得るため一定の厚さを呈していて、立位置部カバー体２にはプレート取付け部７を有している。【０００９】  図２は、本体Ｃを構成する立位置部１２と傾斜部１４を説明するもので、この本体Ｃは分離可能であり、また分離された部材は再度一体化できるように、接続固定手段１７を備えている。つまりこの本体Ｃは二体に分離分割自任であり、且つ再度の一体化も可能に構成されている。また、立位置部１２と傾斜部１４の底面５には滑り止め部材１５が着脱自在に適宜数設けられる。【００１０】  図３は、本考案のピッチャー用マウンド１を屋外グランドＡに設置した場合の使用例を示したもので、ピッチャーは立位置部１２に立って投球姿勢に入り、今まさに投じようとしているところで、軸足はプレート３を踏み、持ち上げられた他方の足は、次には傾斜部４の斜面に下ろされて踏ん張り、腰と腕の力を用いてボールをキャッチャーミットに向け投じられる情景を想像させている。【００１１】  本図におけるプレート３は、図１で説明のプレート取付け部７に設けられたものであり、図２で説明の滑り止め部材１５は、ここでは使用されていない。
【産業上の利用可能性】
【００１２】  本考案は、以上説明のような構成を有するものであるから、その製造や加工において何ら障害となる阻害要因は存在しないし、前記記載のような数々の効果を奏し、本考案品の出現によって積雪地方におけるピッチャーのトレーニングメニューを書換えることになるばかりでなく、屋外でも使用できるのでマウント作りとその維持管理に要する大変な労力を省くことにもなるので、大いに産業上の利用可能性が高い。
【図面の簡単な説明】
【００１３】
【図１】本考案のピッチャー用マウンドの主要な要素のカバー体Ｂを説明する図である。
【図２】図１のカバー体Ｂが設けられる本体Ｃを説明する図である。
【図３】本考案のピッチャー用マウンドの使用状態を説明する図である。
【符号の説明】
【００１４】Ａ屋外グランド    １ピッチャー用マウンド    ２立位置部カバー体    ３プレート    ４傾斜部カバー体    ５底面    ７プレート取付け部    １２立位置部    １４傾斜部    １５滑り止め部材    １７接続固定手段
【図１】
0003131974.tif 000003
【図２】
0003131974.tif 000004
【図３】
0003131974.tif 000005